(57)【特許請求の範囲】
【請求項１】
洗い場パンおよび／または浴槽を載置される浴室架台であって、
それぞれ直線状に延びる第一の幅方向外枠材、第二の幅方向外枠材、第一の奥行き方向外枠材および第二の奥行き方向外枠材と、
前記第一の幅方向外枠材、前記第二の幅方向外枠材、前記第一の奥行き方向外枠材および前記第二の奥行き方向外枠材の長さ方向両端部付近かつ幅方向両側に、それぞれ該外枠材の長さ方向に互いに間隔を置いて複数設けられた位置決め穴と、
上下方向に延びる筒状部と、この筒状部の内周部に設けられた雌ねじ部と、前記筒状部の上端部に設けられた、Ｌ字状をなすよう互いに直角方向に延びる第一および第二の部分を有する枠材載置台と、前記筒状部の前記雌ねじ部に螺合されたねじ支柱とをそれぞれ有する４つのコーナージョイント金具と、
各前記コーナージョイント金具の前記枠材載置台の前記第一の部分の幅方向両側にそれぞれ上方に突出するように設けられた第一の位置決め突起部と、
各前記コーナージョイント金具の前記枠材載置台の前記第二の部分の幅方向両側にそれぞれ上方に突出するように設けられた第二の位置決め突起部と、
各前記コーナージョイント金具の前記枠材載置台の前記第一の部分および前記第二の部分と前記第一の幅方向外枠材、前記第二の幅方向外枠材、前記第一の奥行き方向外枠材および前記第二の奥行き方向外枠材の端部とをそれぞれ締結している雄ねじとを有してなり、
前記第一の幅方向外枠材、前記第二の幅方向外枠材、前記第一の奥行き方向外枠材および前記第二の奥行き方向外枠材は、該浴室架台の外枠を構成するものであって、前記第一の幅方向外枠材の一端部と前記第一の奥行き方向外枠材の一端部、前記第一の奥行き方向外枠材の他端部と前記第二の幅方向外枠材の一端部、前記第二の幅方向外枠材の他端部と前記第二の奥行き方向外枠材の一端部、前記第二の奥行き方向外枠材の他端部と前記第一の幅方向外枠材の他端部とは、それぞれ各前記コーナージョイント金具の前記第一の位置決め突起部および前記第二の位置決め突起部を各前記外枠材の前記両側の位置決め穴のうちの選択されたものに嵌合された状態で前記枠材載置台上に載置されていることにより、互いに直角に角度決めされるとともに、前記外枠の幅方向および奥行き方向のサイズを調整された状態で各前記枠材載置台の前記第一の部分および前記第二の部分に前記雄ねじにより締結されている浴室架台。
【請求項２】
前記第一の幅方向外枠材、前記第二の幅方向外枠材、前記第一の奥行き方向外枠材および前記第二の奥行き方向外枠材の前記位置決め穴の少なくとも一部は、前記雄ねじを挿通するためのねじ挿通穴としても使用可能となっている請求項１記載の浴室架台。
【請求項３】
前記第一の幅方向外枠材、前記第二の幅方向外枠材、前記第一の奥行き方向外枠材および前記第二の奥行き方向外枠材の前記位置決め穴は、各前記外枠材の長さ方向を長辺方向とする長方形状の穴とされており、各前記コーナージョイント金具の前記第一および第二の位置決め突起部の水平横断面形状は、前記位置決め穴の長辺の長さより該長辺と同方向となる辺の長さが短い矩形状とされている請求項１または２記載の浴室架台。
【請求項４】
前記第一の幅方向外枠材、前記第二の幅方向外枠材、前記第一の奥行き方向外枠材および前記第二の奥行き方向外枠材は、それぞれ上フランジ部と、この上フランジ部の両端から斜め下方向に屈曲して延びる一対のウェブ部と、これらの一対のウェブ部の下端からそれぞれ外側横方向に屈曲して延びる一対の下フランジ部とを有するハット形材からなっており、
各前記外枠材の前記位置決め穴は、各前記外枠材の両側の下フランジ部にそれぞれ設けられている請求項１乃至３のいずれか１項に記載の浴室架台。
【請求項５】
前記第一の奥行き方向外枠材および前記第二の奥行き方向外枠材の長さ方向中間部かつ幅方向両側に設けられた位置決め穴と、
直線状に延びる中間枠材と、
前記中間枠材の長さ方向両端部付近かつ幅方向両側に、該枠材の長さ方向に互いに間隔を置いて複数設けられた位置決め穴と、
上下方向に延びる筒状部と、この筒状部の内周部に設けられた雌ねじ部と、前記筒状部の上端部に設けられた、Ｔ字状をなすよう互いに直角方向に延びる第一および第二の部分を有する枠材載置台と、前記筒状部の前記雌ねじ部に螺合されたねじ支柱とをそれぞれ有する２つの中間ジョイント金具と、
各前記中間ジョイント金具の前記枠材載置台の前記第一の部分の一端部側かつ内側に設けられた内側位置決め突起部と、
各前記中間ジョイント金具の前記枠材載置台の第一の部分の他端部側かつ外側に設けられた外側位置決め突起部と、
各前記中間ジョイント金具の前記枠材載置台の前記第一の部分と前記第一の奥行き方向外枠材および前記第二の奥行き方向外枠材の長さ方向中間部とをそれぞれ締結している雄ねじと、
各前記中間ジョイント金具の前記枠材載置台の第二の部分の幅方向両側に設けられた位置決め突起部と、
各前記中間ジョイント金具の第二の部分と前記中間枠材の端部とをそれぞれ締結している雄ねじと、
板材からなる複数の中板とをさらに有し、
前記中間枠材の一端部と前記第一の奥行き方向外枠材の長さ方向中間部および前記中間枠材の他端部と前記第二の奥行き方向外枠材の長さ方向中間部とは、それぞれ各前記中間ジョイント金具の前記第一の部分の前記内側位置決め突起部と前記外側位置決め突起部とを前記第一の奥行き方向外枠材および前記第二の奥行き方向外枠材の長さ方向中間部の前記位置決め穴に嵌合されるとともに、前記中間ジョイント金具の前記枠材載置台の前記第二の部分の前記位置決め突起部を前記中間枠材の両端部付近の前記位置決め穴の中の選択された穴に嵌合された状態で前記枠材載置台上に載置されることにより、互いに直角に角度決めされるとともに、前記外枠の幅方向のサイズに適合された状態で、各前記枠材載置台の前記第一の部分および第二の部分に前記雄ねじにより締結されており、
一部の前記中板は、一端部を前記第一の幅方向外枠材、他端部を前記中間枠材にそれぞれ締結されて、前記第一の幅方向外枠材と前記中間枠材との間に渡されており、
他の一部の前記中板は、一端部を前記第二の幅方向外枠材、他端部を前記中間枠材にそれぞれ締結されて、前記第二の幅方向外枠材と前記中間枠材との間に渡されている請求項１乃至４のいずれか１項に記載の浴室架台。
【請求項６】
前記第一の幅方向外枠材および前記第二の幅方向外枠材の長さ方向中間部かつ幅方向両側に設けられた位置決め穴と、
直線状に延びる中間枠材と、
前記中間枠材の長さ方向両端部付近かつ幅方向両側に、該枠材の長さ方向に互いに間隔を置いて複数設けられた位置決め穴と、
上下方向に延びる筒状部と、この筒状部の内周部に設けられた雌ねじ部と、前記筒状部の上端部に設けられた、Ｔ字状をなすよう互いに直角方向に延びる第一および第二の部分を有する枠材載置台と、前記筒状部の前記雌ねじ部に螺合されたねじ支柱とをそれぞれ有する２つの中間ジョイント金具と、
各前記中間ジョイント金具の前記枠材載置台の前記第一の部分の一端部側かつ内側に設けられた内側位置決め突起部と、
各前記中間ジョイント金具の前記枠材載置台の第一の部分の他端部側かつ外側に設けられた外側位置決め突起部と、
各前記中間ジョイント金具の前記枠材載置台の前記第一の部分と前記第一の幅方向外枠材および前記第二の幅方向外枠材の長さ方向中間部とをそれぞれ締結している雄ねじと、
各前記中間ジョイント金具の前記枠材載置台の第二の部分の幅方向両側に設けられた位置決め突起部と、
各前記中間ジョイント金具の第二の部分と前記中間枠材の端部とをそれぞれ締結している雄ねじと、
板材からなる複数の中板とをさらに有し、
前記中間枠材の一端部と前記第一の幅方向外枠材の長さ方向中間部および前記中間枠材の他端部と前記第二の幅方向外枠材の長さ方向中間部とは、それぞれ各前記中間ジョイント金具の前記第一の部分の前記内側位置決め突起部と前記外側位置決め突起部とを前記第一の幅方向外枠材および前記第二の幅方向外枠材の長さ方向中間部の前記位置決め穴に嵌合されるとともに、前記中間ジョイント金具の前記枠材載置台の前記第二の部分の前記位置決め突起部を前記中間枠材の両端部付近の前記位置決め穴の中の選択された穴に嵌合された状態で前記枠材載置台上に載置されることにより、互いに直角に角度決めされるとともに、前記外枠の奥行き方向のサイズに適合された状態で、各前記枠材載置台の前記第一の部分および第二の部分に前記雄ねじにより締結されており、
一部の前記中板は、一端部を前記第一の奥行き方向外枠材、他端部を前記中間枠材にそれぞれ締結されて、前記第一の奥行き方向外枠材と前記中間枠材との間に渡されており、
他の一部の前記中板は、一端部を前記第二の奥行き方向外枠材、他端部を前記中間枠材にそれぞれ締結されて、前記第二の奥行き方向外枠材と前記中間枠材との間に渡されている請求項１乃至４のいずれか１項に記載の浴室架台。
【請求項７】
前記第一の幅方向外枠材および前記第二の幅方向外枠材の長さ方向中間部かつ幅方向両側にこれらの枠材の長さ方向に間隔を置いて設けられた４つ１組の複数組のねじ挿通穴と、
上下方向に延びる筒状部と、この筒状部の内周部に設けられた雌ねじ部と、前記筒状部の上端部に設けられた枠材載置台と、この枠材載置台に設けられた４つのねじ穴と、前記筒状部の前記雌ねじ部に螺合されたねじ支柱とをそれぞれ有する２つの脚金具と、
各前記脚金具の前記枠材載置台と前記第一の幅方向外枠材および前記第二の幅方向外枠材の長さ方向中間部とをそれぞれ締結している雄ねじとをさらに有しており、
前記第一の幅方向外枠材および前記第二の幅方向外枠材が各前記脚金具の前記枠材載置台上に載置され、かつ前記脚金具の前記枠材載置台の前記４つのねじ穴を前記第一の幅方向外枠材および前記第二の幅方向外枠材の長さ方向中間部に設けられた前記複数組のうちの選択された１組のねじ挿通穴に合致され、前記雄ねじが前記合致されたねじ挿通穴を通して前記ねじ穴に螺合されていることにより、前記第一の幅方向外枠材および前記第二の幅方向外枠材の長さ方向中間部に前記脚金具が締結されている請求項１乃至６のいずれか１項に記載の浴室架台。
【請求項８】
前記中間枠材の長さ方向中間部かつ幅方向両側にこれらの枠材の長さ方向に間隔を置いて設けられた４つ１組の複数組のねじ挿通穴と、
上下方向に延びる筒状部と、この筒状部の内周部に設けられた雌ねじ部と、前記筒状部の上端部に設けられた枠材載置台と、この枠材載置台に設けられた４つのねじ穴と、前記筒状部の前記雌ねじ部に螺合されたねじ支柱とをそれぞれ有する脚金具と、
前記脚金具の前記枠材載置台と前記中間枠材の長さ方向中間部とをそれぞれ締結している雄ねじとをさらに有しており、
前記中間枠材が各前記脚金具の前記枠材載置台上に載置され、かつ前記脚金具の前記枠材載置台の前記４つのねじ穴を前記中間枠材の長さ方向中間部に設けられた前記複数組のうちの選択された１組のねじ挿通穴に合致され、前記雄ねじが前記合致されたねじ挿通穴を通して前記ねじ穴に螺合されていることにより、前中間枠材の長さ方向中間部に前記脚金具が締結されている請求項５または６に記載の浴室架台。
【請求項９】
トラップ下とトラップ上とを有し、前記トラップ下と前記トラップ上とが互いに対向された状態で取り付けられている排水トラップをさらに有している請求項１乃至８のいずれか１項に記載の浴室架台。
【発明の詳細な説明】
【技術分野】
【０００１】
本発明はユニットバス（システムバス）において、洗い場パンや浴槽等を載置される浴室架台に関する。
【背景技術】
【０００２】
従来、この種の浴室架台の多くは、例えば特許文献１等に開示されているように、パイプ材等を溶接して製作されており、設置すべき建物の外で溶接を行って完成させてから、建物内に搬入していた。
【０００３】
また、従来のこの種の浴室架台においては、該架台の外枠中間部を支持する脚部が該架台の固定位置に設けられており、その設置位置を変えることができなかった。
【０００４】
また、従来は、この種の浴室架台のメーカーは、設置される建物のスペースに対応して、異なるサイズの架台を多数用意しておく必要があり、かつ異なるサイズの架台毎に異なるサイズの部品を用意する必要があった。
【先行技術文献】
【特許文献】
【０００５】
【特許文献１】特開２００６−１６９８０５号公報
【発明の概要】
【発明が解決しようとする課題】
【０００６】
前記従来の浴室架台では、大きすぎて建物の中に搬入できないことがあるという問題があった（特にリフォームの場合）。
【０００７】
また、架台の外枠の幅方向および奥行き方向のサイズは固定されており、現場で調整することはできないという問題もあった（リフォームの場合は、既存の浴室を解体してみないと設置スペースの正確な大きさが分からないので、このようにサイズが固定されてしまっていることにより、既存の浴室を実際に解体してみないと、どのサイズの浴室架台を設置できるのか正確に分からないという問題も生じていた）。
【０００８】
また、全体のサイズとしては設置スペースに適合していても、架台の中間部を支持する脚部が排水溝等の障害物と干渉することになると、施工できないという問題もあった。
【０００９】
また、異なるサイズの架台毎に異なるサイズの部品を用意する必要があったので、浴室架台のメーカーは、全体として非常に多数の部品を設計、製造、在庫する必要があるという問題があった。
【００１０】
また、サイズが非常に大きいとともに、重量が非常に重くなるので、運搬時の作業員の負担が非常に大きいとともに、軽トラックでの運搬および小さいエレべーターの使用も不可能であるという問題があった。
【００１１】
本発明は、このような従来の事情に鑑みてなされたもので、本発明の目的の１つは、部品に分割して運搬し、現場で組み立てることができる浴室架台を提供することにある。
【００１２】
本発明の他の目的は、部品を軽量・小型とし、部品を少ない梱包数で梱包でき、運搬時の負担が少なく（女性でも取扱可能）、軽トラックでの運搬および小さいエレべーターの使用も可能な浴室架台を提供することにある。
【００１３】
本発明の他の目的は、外枠の幅方向および奥行き方向のサイズを現場で調整可能な浴室架台を提供することにある。
【００１４】
本発明の他の目的は、ある程度の範囲のサイズの相違であれば、共通の部品を使用でき、異なるサイズの架台毎に異なるサイズの部品を用意する必要がなく、全体として部品点数を大幅に削減できる浴室架台を提供することにある。
【００１５】
本発明の他の目的は、架台組立時に、計測作業を最小限に留めることができる浴室架台を提供することにある。
【００１６】
本発明の他の目的は、組立作業手順を単純化し、施工に必要な作業時間を短縮することができる浴室架台を提供することにある。
【００１７】
本発明の他の目的は、排水溝等の障害物に干渉しないように、架台の中間部を支持する脚部の設置位置を適宜変更することができる浴室架台を提供することにある。
【００１８】
本発明のさらに他の目的は、以下の説明から明らかになろう。
【課題を解決するための手段】
【００１９】
請求項１に記載の本発明による浴室架台は、
洗い場パンおよび／または浴槽を載置される浴室架台であって、
それぞれ直線状に延びる第一の幅方向外枠材、第二の幅方向外枠材、第一の奥行き方向外枠材および第二の奥行き方向外枠材と、
前記第一の幅方向外枠材、前記第二の幅方向外枠材、前記第一の奥行き方向外枠材および前記第二の奥行き方向外枠材の長さ方向両端部付近かつ幅方向両側に、それぞれ該外枠材の長さ方向に互いに間隔を置いて複数設けられた位置決め穴と、
上下方向に延びる筒状部と、この筒状部の内周部に設けられた雌ねじ部と、前記筒状部の上端部に設けられた、Ｌ字状をなすよう互いに直角方向に延びる第一および第二の部分を有する枠材載置台と、前記筒状部の前記雌ねじ部に螺合されたねじ支柱とをそれぞれ有する４つのコーナージョイント金具と、
各前記コーナージョイント金具の前記枠材載置台の前記第一の部分の幅方向両側にそれぞれ上方に突出するように設けられた第一の位置決め突起部と、
各前記コーナージョイント金具の前記枠材載置台の前記第二の部分の幅方向両側にそれぞれ上方に突出するように設けられた第二の位置決め突起部と、
各前記コーナージョイント金具の前記枠材載置台の前記第一の部分および前記第二の部分と前記第一の幅方向外枠材、前記第二の幅方向外枠材、前記第一の奥行き方向外枠材および前記第二の奥行き方向外枠材の端部とをそれぞれ締結している雄ねじとを有してなり、
前記第一の幅方向外枠材、前記第二の幅方向外枠材、前記第一の奥行き方向外枠材および前記第二の奥行き方向外枠材は、該浴室架台の外枠を構成するものであって、前記第一の幅方向外枠材の一端部と前記第一の奥行き方向外枠材の一端部、前記第一の奥行き方向外枠材の他端部と前記第二の幅方向外枠材の一端部、前記第二の幅方向外枠材の他端部と前記第二の奥行き方向外枠材の一端部、前記第二の奥行き方向外枠材の他端部と前記第一の幅方向外枠材の他端部とは、それぞれ各前記コーナージョイント金具の前記第一の位置決め突起部および前記第二の位置決め突起部を各前記外枠材の前記両側の位置決め穴のうちの選択されたものに嵌合された状態で前記枠材載置台上に載置されていることにより、互いに直角に角度決めされるとともに、前記外枠の幅方向および奥行き方向のサイズを調整された状態で各前記枠材載置台の前記第一の部分および前記第二の部分に前記雄ねじにより締結されているものである。
【００２０】
この請求項１に記載の発明による浴室架台においては、上記のような部品構成とすることにより、部品に分割して運搬し、現場で組み立てることができる。
【００２１】
また、部品を軽量・小型とし、部品を少ない梱包数で梱包でき、運搬時の負担が少なく（女性でも取扱可能）、軽トラックでの運搬および小さいエレべーターの使用も可能になる。
【００２２】
また、コーナージョイント金具の第一および第二の部分に設けられた位置決め突起部を各枠材の両端部付近の複数の位置決め穴のうちのいずれに嵌合するかを選択にすることにより、各枠材が構成する外枠の幅方向および奥行き方向のサイズを現場で簡単に調整できる。
【００２３】
また、これに伴い、ある程度の範囲のサイズの相違であれば、共通の部品を使用でき、異なるサイズの架台毎に異なるサイズの部品を用意する必要がないので、全体として部品点数を大幅に削減できる。
【００２４】
また、前述のようにコーナージョイント金具の第一および第二の部分に設けられた位置決め突起部を各枠材の両端部付近の位置決め穴に嵌合するだけで、面倒な調整作業を要することなく、前記サイズ調整を行うと同時に極めて簡単かつ迅速に各枠材間の角度を直角に規定することができる。したがって、架台組立時に、計測作業を最小限に留めることができる。
【００２５】
上記のような構成とされることにより、組立作業手順が単純化し、施工に必要な作業時間を短縮することができる。
【００２６】
請求項２に記載の本発明による浴室架台は、請求項１記載の浴室架台において、
前記第一の幅方向外枠材、前記第二の幅方向外枠材、前記第一の奥行き方向外枠材および前記第二の奥行き方向外枠材の前記位置決め穴の少なくとも一部は、前記雄ねじを挿通するためのねじ挿通穴としても使用可能となっているものである。
【００２７】
この請求項２に記載の発明による浴室架台においては、位置決め穴を位置決め用にのみ使用するのではなく、位置決め用には使用しない位置決め穴をねじ挿通穴としても使用できるようにしているので、各枠材に設ける穴の数を最小限とすることができるとともに、コーナージョイント金具の枠材載置台が大型化しないようにすることができる。
【００２８】
請求項３に記載の本発明による浴室架台は、請求項１または２記載の浴室架台において、
前記第一の幅方向外枠材、前記第二の幅方向外枠材、前記第一の奥行き方向外枠材および前記第二の奥行き方向外枠材の前記位置決め穴は、各前記外枠材の長さ方向を長辺方向とする長方形状の穴とされており、各前記コーナージョイント金具の前記第一および第二の位置決め突起部の水平横断面形状は、前記位置決め穴の長辺の長さより該長辺と同方向となる辺の長さが短い矩形状とされているものである。
【００２９】
各外枠材の位置決め穴とコーナージョイント金具の位置決め突起部を円形状とすると、これらを高精度に加工しなければ、各外枠材の交角部を直角とするとともに、外枠の幅方向および奥行き方向のサイズひいては外枠の対角寸法を正確にすることができず、加工コストが高くなる、しかし、請求項３に記載の発明による浴室架台では、位置決め穴および位置決め突起部の水平横断面形状がともに矩形状とされているので、加工精度が悪くても、各枠材間の交角部を実用上十分な精度で直角とすることができる。
【００３０】
しかも、請求項３に記載の本発明による浴室架台では、さらに前記位置決め穴が各枠材の長さ方向を長辺方向とする長方形状とされている一方、位置決め突起部は位置決め穴の長辺の長さより該長辺と同方向となる辺の長さが短い矩形状とされているので、各枠材間の角度は実用上十分な精度で直角にすることができるとともに、全体としてはさらに加工精度が低くてもよくなるので、より安価な加工方法で位置決め穴を加工でき、かつ各位置決め突起部に対し各位置決め穴を長さ方向に沿って若干移動可能となり、外枠の幅方向および奥行き方向のサイズの微調整も可能となる。
【００３１】
請求項４に記載の本発明による浴室架台は、請求項１乃至３のいずれか１項に記載の浴室架台において、
前記第一の幅方向外枠材、前記第二の幅方向外枠材、前記第一の奥行き方向外枠材および前記第二の奥行き方向外枠材は、それぞれ上フランジ部と、この上フランジ部の両端から斜め下方向に屈曲して延びる一対のウェブ部と、これらの一対のウェブ部の下端からそれぞれ外側横方向に屈曲して延びる一対の下フランジ部とを有するハット形材からなっており、
各前記外枠材の前記位置決め穴は、各前記外枠材の両側の下フランジ部にそれぞれ設けられているものである。
【００３２】
この請求項４に記載の発明による浴室架台においては、主要構成部品である第一の幅方向外枠材、第二の幅方向外枠材、第一の奥行き方向外枠材および第二の奥行き方向外枠材がハット形材で構成され、これらのハット形材は互いに重ね合わせた状態とすることができるので、組立前、構成部品をより一層コンパクトにまとめておくことができる。
【００３３】
請求項５に記載の本発明による浴室架台は、請求項１乃４のいずれか１項に記載の浴室架台において、
前記第一の奥行き方向外枠材および前記第二の奥行き方向外枠材の長さ方向中間部かつ幅方向両側に設けられた位置決め穴と、
直線状に延びる中間枠材と、
前記中間枠材の長さ方向両端部付近かつ幅方向両側に、該枠材の長さ方向に互いに間隔を置いて複数設けられた位置決め穴と、
上下方向に延びる筒状部と、この筒状部の内周部に設けられた雌ねじ部と、前記筒状部の上端部に設けられた、Ｔ字状をなすよう互いに直角方向に延びる第一および第二の部分を有する枠材載置台と、前記筒状部の前記雌ねじ部に螺合されたねじ支柱とをそれぞれ有する２つの中間ジョイント金具と、
各前記中間ジョイント金具の前記枠材載置台の前記第一の部分の一端部側かつ内側に設けられた内側位置決め突起部と、
各前記中間ジョイント金具の前記枠材載置台の第一の部分の他端部側かつ外側に設けられた外側位置決め突起部と、
各前記中間ジョイント金具の前記枠材載置台の前記第一の部分と前記第一の奥行き方向外枠材および前記第二の奥行き方向外枠材の長さ方向中間部とをそれぞれ締結している雄ねじと、
各前記中間ジョイント金具の前記枠材載置台の第二の部分の幅方向両側に設けられた位置決め突起部と、
各前記中間ジョイント金具の第二の部分と前記中間枠材の端部とをそれぞれ締結している雄ねじと、
板材からなる複数の中板とをさらに有し、
前記中間枠材の一端部と前記第一の奥行き方向外枠材の長さ方向中間部および前記中間枠材の他端部と前記第二の奥行き方向外枠材の長さ方向中間部とは、それぞれ各前記中間ジョイント金具の前記第一の部分の前記内側位置決め突起部と前記外側位置決め突起部とを前記第一の奥行き方向外枠材および前記第二の奥行き方向外枠材の長さ方向中間部の前記位置決め穴に嵌合されるとともに、前記中間ジョイント金具の前記枠材載置台の前記第二の部分の前記位置決め突起部を前記中間枠材の両端部付近の前記位置決め穴の中の選択された穴に嵌合された状態で前記枠材載置台上に載置されることにより、互いに直角に角度決めされるとともに、前記外枠の幅方向のサイズに適合された状態で、各前記枠材載置台の前記第一の部分および第二の部分に前記雄ねじにより締結されており、
一部の前記中板は、一端部を前記第一の幅方向外枠材、他端部を前記中間枠材にそれぞれ締結されて、前記第一の幅方向外枠材と前記中間枠材との間に渡されており、
他の一部の前記中板は、一端部を前記第二の幅方向外枠材、他端部を前記中間枠材にそれぞれ締結されて、前記第二の幅方向外枠材と前記中間枠材との間に渡されているものである。
【００３４】
この請求項５に記載の発明による浴室架台においては、浴室架台の強度を一層向上することができる。
【００３５】
請求項６に記載の本発明による浴室架台は、請求項１乃４のいずれか１項に記載の浴室架台において、
前記第一の幅方向外枠材および前記第二の幅方向外枠材の長さ方向中間部かつ幅方向両側に設けられた位置決め穴と、
直線状に延びる中間枠材と、
前記中間枠材の長さ方向両端部付近かつ幅方向両側に、該枠材の長さ方向に互いに間隔を置いて複数設けられた位置決め穴と、
上下方向に延びる筒状部と、この筒状部の内周部に設けられた雌ねじ部と、前記筒状部の上端部に設けられた、Ｔ字状をなすよう互いに直角方向に延びる第一および第二の部分を有する枠材載置台と、前記筒状部の前記雌ねじ部に螺合されたねじ支柱とをそれぞれ有する２つの中間ジョイント金具と、
各前記中間ジョイント金具の前記枠材載置台の前記第一の部分の一端部側かつ内側に設けられた内側位置決め突起部と、
各前記中間ジョイント金具の前記枠材載置台の第一の部分の他端部側かつ外側に設けられた外側位置決め突起部と、
各前記中間ジョイント金具の前記枠材載置台の前記第一の部分と前記第一の幅方向外枠材および前記第二の幅方向外枠材の長さ方向中間部とをそれぞれ締結している雄ねじと、
各前記中間ジョイント金具の前記枠材載置台の第二の部分の幅方向両側に設けられた位置決め突起部と、
各前記中間ジョイント金具の第二の部分と前記中間枠材の端部とをそれぞれ締結している雄ねじと、
板材からなる複数の中板とをさらに有し、
前記中間枠材の一端部と前記第一の幅方向外枠材の長さ方向中間部および前記中間枠材の他端部と前記第二の幅方向外枠材の長さ方向中間部とは、それぞれ各前記中間ジョイント金具の前記第一の部分の前記内側位置決め突起部と前記外側位置決め突起部とを前記第一の幅方向外枠材および前記第二の幅方向外枠材の長さ方向中間部の前記位置決め穴に嵌合されるとともに、前記中間ジョイント金具の前記枠材載置台の前記第二の部分の前記位置決め突起部を前記中間枠材の両端部付近の前記位置決め穴の中の選択された穴に嵌合された状態で前記枠材載置台上に載置されることにより、互いに直角に角度決めされるとともに、前記外枠の奥行き方向のサイズに適合された状態で、各前記枠材載置台の前記第一の部分および第二の部分に前記雄ねじにより締結されており、
一部の前記中板は、一端部を前記第一の奥行き方向外枠材、他端部を前記中間枠材にそれぞれ締結されて、前記第一の奥行き方向外枠材と前記中間枠材との間に渡されており、
他の一部の前記中板は、一端部を前記第二の奥行き方向外枠材、他端部を前記中間枠材にそれぞれ締結されて、前記第二の奥行き方向外枠材と前記中間枠材との間に渡されているものである。
【００３６】
前記請求項５記載の発明による浴室架台は、中間枠材を第一の奥行き方向外枠材と第二の奥行き方向外枠材との間に渡し、中板を第一の幅方向外枠材と中間枠材との間および第二の幅方向外枠材と中間枠材との間に渡しているが、この請求項６記載の発明による浴室架台は、中間枠材を第一の幅方向外枠材と第二の幅方向外枠材との間に渡し、中板は第一の奥行き方向外枠材と中間枠材との間および第二の奥行き方向外枠材と中間枠材との間に渡している。
【００３７】
この請求項６に記載の発明による浴室架台においても、前記請求項５記載の発明による浴室架台と同様に、浴室架台の強度を一層向上することができる。
【００３８】
請求項７に記載の本発明による浴室架台は、請求項１乃６のいずれか１項に記載の浴室架台において、
前記第一の幅方向外枠材および前記第二の幅方向外枠材の長さ方向中間部かつ幅方向両側にこれらの枠材の長さ方向に間隔を置いて設けられた４つ１組の複数組のねじ挿通穴と、
上下方向に延びる筒状部と、この筒状部の内周部に設けられた雌ねじ部と、前記筒状部の上端部に設けられた枠材載置台と、この枠材載置台に設けられた４つのねじ穴と、前記筒状部の前記雌ねじ部に螺合されたねじ支柱とをそれぞれ有する２つの脚金具と、
各前記脚金具の前記枠材載置台と前記第一の幅方向外枠材および前記第二の幅方向外枠材の長さ方向中間部とをそれぞれ締結している雄ねじとをさらに有しており、
前記第一の幅方向外枠材および前記第二の幅方向外枠材が各前記脚金具の前記枠材載置台上に載置され、かつ前記脚金具の前記枠材載置台の前記４つのねじ穴を前記第一の幅方向外枠材および前記第二の幅方向外枠材の長さ方向中間部に設けられた前記複数組のうちの選択された１組のねじ挿通穴に合致され、前記雄ねじが前記合致されたねじ挿通穴を通して前記ねじ穴に螺合されていることにより、前記第一の幅方向外枠材および前記第二の幅方向外枠材の長さ方向中間部に前記脚金具が締結されているものである。
【００３９】
この請求項７に記載の発明による浴室架台においては、架台の外枠中間部を支持する脚部（脚金具）の設置位置を、排水溝等の障害物に引っ掛かからないように適宜変更可能とすることができる。
【００４０】
請求項８に記載の本発明による浴室架台は、請求項５または６に記載の浴室架台において、
前記中間枠材の長さ方向中間部かつ幅方向両側にこれらの枠材の長さ方向に間隔を置いて設けられた４つ１組の複数組のねじ挿通穴と、
上下方向に延びる筒状部と、この筒状部の内周部に設けられた雌ねじ部と、前記筒状部の上端部に設けられた枠材載置台と、この枠材載置台に設けられた４つのねじ穴と、前記筒状部の前記雌ねじ部に螺合されたねじ支柱とをそれぞれ有する脚金具と、
前記脚金具の前記枠材載置台と前記中間枠材の長さ方向中間部とをそれぞれ締結している雄ねじとをさらに有しており、
前記中間枠材が各前記脚金具の前記枠材載置台上に載置され、かつ前記脚金具の前記枠材載置台の前記４つのねじ穴を前記中間枠材の長さ方向中間部に設けられた前記複数組のうちの選択された１組のねじ挿通穴に合致され、前記雄ねじが前記合致されたねじ挿通穴を通して前記ねじ穴に螺合されていることにより、前中間枠材の長さ方向中間部に前記脚金具が締結されているものである。
【００４１】
この請求項８に記載の発明による浴室架台においては、中間枠材を支持する脚部（脚金具）の設置位置を、排水溝等の障害物に引っ掛かからないように適宜変更可能とすることができる。
【００４２】
請求項９に記載の本発明による浴室架台は、請求項１乃８のいずれか１項に記載の浴室架台において、
トラップ下とトラップ上とを有し、前記トラップ下と前記トラップ上とが互いに対向された状態で取り付けられている排水トラップをさらに有しているものである。
【００４３】
この請求項１０に記載の発明による浴室架台においては、排水トラップを設けることができる。
【発明の効果】
【００４４】
本発明の浴室架台は、
（イ）部品に分割して運搬し、現場で組み立てることができる、
（ロ）部品を軽量・小型とし、部品を少ない梱包数で梱包でき、運搬時の負担が少なく（女性でも取扱可能）、軽トラックでの運搬および小さいエレべーターの使用も可能となる、
（ハ）各枠材が構成する外枠の幅方向および奥行き方向のサイズを現場で簡単に調整できる、
（ニ）ある程度の範囲のサイズの相違であれば、共通の部品を使用でき、異なるサイズの架台毎に異なるサイズの部品を用意する必要がないので、全体として部品点数を大幅に削減できる、
（ホ）架台組立時に、計測作業を最小限に留めることができる、
（ヘ）組立作業手順が単純化され、施工に必要な作業時間を短縮することができる、
（ト）外枠の幅方向および奥行き方向のサイズを現場で調整可能である、
（チ）ある程度の範囲のサイズの相違であれば、共通の部品を使用でき、異なるサイズの架台毎に異なるサイズの部品を用意する必要がないので、全体として部品点数を大幅に削減できる、
（リ）架台組立時に、計測作業を最小限に留めることができる、
（ヌ）組立作業手順を単純化し、施工に必要な作業時間を短縮することができる、
（ル）排水溝等の障害物に引っ掛かからないように、架台の外枠中間部を支持する脚部の設置位置を適宜変更することができる、
等の優れた効果を得られるものである。
【図面の簡単な説明】
【００４５】
【図１】本発明の一実施例において浴室架台の枠体を組み立てた状態を示す斜視図である。
【図２】前記実施例において前記枠体にさらにトラップおよび中板を取り付け、浴室架台の組立が完了した状態を示す斜視図である。
【図３】前記実施例における第一の幅方向外枠材を示す正面図である。
【図４】前記第一の幅方向外枠材を示す平面図である。
【図５】前記第一の幅方向外枠材の一端部付近を示す拡大平面図である。
【図６】前記実施例における第二の幅方向外枠材を示す平面図である。
【図７】前記実施例における中間枠材を示す平面図である。
【図８】前記実施例における第一の奥行き方向外枠材を示す正面図である。
【図９】前記第一の奥行き方向外枠材を示す平面図である。
【図１０】前記第一の奥行き方向外枠材の一端部付近を示す拡大平面図である。
【図１１】前記第一の奥行き方向外枠材の長さ方向中間部を示す拡大平面図である。
【図１２】前記実施例における第二の幅方向外枠材を示す平面図である。
【図１３】前記実施例におけるコーナージョイント金具を示す斜視図である。
【図１４】前記コーナージョイント金具を示す平面図である。
【図１５】前記実施例における第一の幅方向外枠材の一端部と第一の奥行き方向外枠材の一端部との結合部を示す平面図である。
【図１６】図１５のＸＶＩ−ＸＶＩ線における断面図である。
【図１７】前記実施例における中間ジョイント金具を示す斜視図である。
【図１８】前記中間ジョイント金具を示す平面図である。
【図１９】前記実施例における第一の奥行き方向外枠材の長さ方向中間部と中間枠材の一端部との結合部を示す平面図である。
【図２０】図１９のＸＸ−ＸＸ線における断面図である。
【図２１】前記実施例における脚金具を示す斜視図である。
【図２２】前記脚金具を示す平面図である。
【図２３】前記実施例における第一の幅方向外枠材に対する脚金具の取付部を示す平面図である。
【図２４】前記第一の幅方向外枠材の長さ方向中間部に対する脚金具の取付部を示す側面図である。
【図２５】前記実施例におけるトラップ下を示す斜視図である。
【図２６】前記実施例におけるトラップ上を示す斜視図である。
【図２７】前記実施例におけるトラップ取付部を示す断面図である。
【図２８】前記実施例における中板を示す斜視図である。
【図２９】前記実施例における中板取付部を示す断面図である。
【図３０】前記実施例において組立前の枠材を互いに重ねた状態を示す正面図である。
【発明を実施するための形態】
【００４６】
以下、本発明を図面に示す実施例に基づいて説明する。
【実施例】
【００４７】
図１〜３０は、本発明の浴室架台１の一実施例を示し、このうち図１は本実施例の浴室架台１の枠体２を組み立てた状態、図２は前記枠体２にさらにトラップ３および中板４を取り付け、浴室架台１を完成させた状態を示している。読者はこれらの図１，２をまず一瞥しておくと、本願発明をより容易に理解することができるであろう。なお、本実施例の浴室架台１はその上に洗い場パン（図示せず）を載置するためのものである。
【００４８】
次に、本実施例の浴室架台１を構成する個々の部品の構成についてまず説明する。
【００４９】
図３〜５は、本実施例において前記枠体２を構成する第一の幅方向外枠材５を単独で示している。この第一の幅方向外枠材５は、亜鉛メッキ鋼板、クロムメッキ鋼板、ニッケルメッキ鋼板、ステンレス、アルミ等の金属または熱可塑性樹脂、熱硬化性樹脂、ＦＲＰ、ＣＦＲＰ等から製作されており、図３によく示されるように、上フランジ部５ａと、この上フランジ部５ａの両端から斜め下方向に屈曲して延びる一対のウェブ部５ｂと、これらの一対のウェブ部５ｂの下端からそれぞれ外側横方向に屈曲して延びる一対の下フランジ部５ｃとを有している。この第一の幅方向外枠材５の長さ方向両端部付近の両方の下フランジ部５ｃには、図４および５に示されているように、それぞれ３つの位置決め穴５ｄと１つのねじ挿通穴５ｅが該枠材５の長さ方向に等間隔に明けられている。図４に示されているように、前記第一の幅方向外枠材５の長さ方向中間部において、両方の下フランジ部５ｃには、４つの穴で１組となるねじ挿通穴５ｆが互いに長さ方向に間隔を置いて５組並べて明けられている。前記第一の幅方向外枠材５の位置決め穴５ｄおよびねじ挿通穴５ｅ，５ｆは、それぞれ該枠材５の長さ方向を長辺方向とする長方形状の穴とされている。
【００５０】
図６に単独で示されている第二の幅方向外枠材６および図７に単独で示されている中間枠材７も前記枠体２を構成するものであるが、前記第一の幅方向外枠材５と同形同大かつ同材質であって、これらは互いに置き換えられるものである。本願明細書および図面では、第一の幅方向外枠材５、第二の幅方向外枠材６および中間枠材７の各部を示す符号は、先頭にどの枠材５，６，７であるかを表す文字５，６，７を記し、その後に、各枠材５，６，７のどの部分であるかを示すアルファベット小文字を付したものとしている（対応する部分は同一のアルファベット文字を付している）。
【００５１】
図８〜１１は、本実施例において前記第一の幅方向外枠材５、第二の幅方向外枠材６および中間枠材７とともに前記枠体２を構成する第一の奥行き方向外枠材８を単独で示している。この第一の奥行き方向外枠材８は、前記第一の幅方向外枠材５、第二の幅方向外枠材６および中間枠材７と同一種のハット形材からなり、図８によく示されるように、上フランジ部８ａと、この上フランジ部８ａの両端から斜め下方向に屈曲して延びる一対のウェブ部８ｂと、これらの一対のウェブ部８ｂの下端からそれぞれ外側横方向に屈曲して延びる一対の下フランジ部８ｃとを有している。この第一の奥行き方向外枠材８の長さ方向両端部付近の両方の下フランジ部８ｃには、図９および１０に示されているように、それぞれ３つの位置決め穴８ｄと１つのねじ挿通穴８ｅが該枠材８の長さ方向に等間隔に明けられている。図９および１１に示されているように、前記第一の奥行き方向外枠材８の長さ方向中間部において、両方の下フランジ部８ｃには、それぞれ１つの位置決め用穴８ｆと２つのねじ挿通穴８ｇが明けられている。前記第一の奥行き方向外枠材８の位置決め穴８ｄ，８ｆおよびねじ挿通穴８ｅ，８ｇは、それぞれ該中間枠材７の長さ方向を長辺方向とする長方形状の穴とされている。
【００５２】
図１２に単独で示されている第二の奥行き方向外枠材９も枠体２を構成するものであり、前記第一の奥行き方向外枠材８と同形同大かつ同材質であって、互いに置き換えられるものである。本願明細書および図面では、第一の奥行き方向外枠材８および第二の奥行き方向外枠材９の各部を示す符号は、先頭にどの枠材８，９であるかを表す文字８，９を記し、その後に、各枠材８，９のどの部分であるかを示すアルファベット小文字を付したものとしている（対応する部分は同一のアルファベット文字を付している）。
【００５３】
図１３および１４は、前記第一の幅方向外枠材５、第二の幅方向外枠材６、第一の奥行き方向外枠材８および第二の奥行き方向外枠材９の端部同士を互いに結合して枠体２のうちの外枠２ａを構成するための４つのコーナージョイント金具１０（４つとも同形同大であって、互いに置き換えられるものである）のうちの１つを単独で示している。このコーナージョイント金具１０は、機械構造用炭素鋼等の金属からなる筒状部１１と、この筒状部１１の上端部に設けられた亜鉛メッキ鋼板、クロムメッキ鋼板、ニッケルメッキ鋼板、ステンレス、アルミ等の金属から製作されている枠材載置台１２と、外周に雄ねじ部を設けられたねじ支柱１３とを有してなる。前記筒状部１１の下端部付近は他の部分より細径とされるとともに、内周部に雌ねじ部（図示せず）を設けられており、この雌ねじ部にはねじ支柱１３が螺合されている。前記枠材載置台１２は、Ｌ字状をなすように互いに直角方向に延びる第一および第二の部分１２ａ，１２ｂを有しており、これらの第一および第二の部分１２ａ，１２ｂは横断面で見ると、ともに上方が開口したコの字状を基本的になしている。前記枠材載置台１２は筒状部１１に貫通されるとともに、該筒状部１１にかしめられて固定されている（このかしめ部は図１６に示されている）。
【００５４】
前記枠材載置台１２の第一の部分１２ａの先端部付近かつ幅方向両側には第一の位置決め突起部１４およびバーリングタップ（バーリング加工されたねじ穴）とされたねじ穴１６がそれぞれ設けられている。前記枠材載置台１２の第二の部分１２ｂの先端部付近かつ幅方向両側には、第二の位置決め突起部１７およびバーリングタップ（バーリング加工されたねじ穴）とされたねじ穴１９がそれぞれ設けられている。前記第一の位置決め突起部１４および第二の外側位置決め突起部１７は、ともに上方に突出していて、水平横断面正方形状とされており、かつ上方に行く程僅かに先細となるテーパーを設けられている。
【００５５】
図１７および１８は、中間枠材７の両端部と第一の奥行き方向外枠材８および第二の奥行き方向外枠材９の長さ方向中間部とを互いに結合するための２つの中間ジョイント金具２０のうちの１つを単独で示している（２つとも同形同大であって、互いに置き換えられるものである）。この中間ジョイント金具２０は、機械構造用炭素鋼鋼管等の金属からなる筒状部２１と、この筒状部２１の上端部に設けられた亜鉛メッキ鋼板、クロムメッキ鋼板、ニッケルメッキ鋼板、ステンレス、アルミ等の金属から製作されている枠材載置台２２と、外周に雄ねじ部を設けられたねじ支柱２３とを有してなる。前記筒状部２１の下端部付近は他の部分より細径とされるとともに、内周部に雌ねじ部（図示せず）を設けられており、この雌ねじ部にはねじ支柱２３が螺合されている。前記枠材載置台２２は、Ｔ字状をなすよう互いに直角方向に延びる第一の部分２２ａおよび第二の部分２２ｂを有しており、これらの第一および第二の部分２２ａ，２２ｂは横断面で見ると、ともに上方が開口したコの字状を基本的になしている（図２０参照）。前記枠材載置台２２は筒状部２１に貫通されるとともに、該筒状部２１にかしめられて固定されている（このかしめ部は図２０に示されている）。
【００５６】
前記枠材載置台２２の第一の部分２２ａの一端部側かつ内側には、内側位置決め突起部２４が設けられている。前記枠材載置台２２の第一の部分２２ａの他端部側かつ外側には、外側位置決め突起部２５が設けられている。前記枠材載置台２２の第一の部分２２ａの両端部側かつ内側および外側には、バーリングタップとされたねじ穴２６がそれぞれ設けられている（したがって、合計４つのねじ穴２６が設けられている）。前記枠材載置台２２の第二の部分２２ｂの幅方向両側には、位置決め突起部２７およびバーリンクタップとされたねじ穴２８がそれぞれ設けられている。
【００５７】
前記内側および外側位置決め突起部２４，２５，２７は、ともに上方に突出していて、水平横断面正方形状とされており、かつ上方に行く程僅かに先細となるテーパーを設けられている。
【００５８】
図２１は、３つの脚金具３０のうちの１つを単独で示している（３つとも同形同大であって、互いに置き換えられるものである）。この脚金具３０は、機械構造用炭素鋼鋼管等の金属からなる筒状部３１と、この筒状部３１の上端部に設けられた亜鉛メッキ鋼板、クロムメッキ鋼板、ニッケルメッキ鋼板、ステンレス、アルミ等の金属から製作されている枠材載置台３２と、外周に雄ねじ部を設けられたねじ支柱３３とを有してなる。前記筒状部３１の下端部付近は他の部分より細径とされるとともに、内周部に雌ねじ部（図示せず）を設けられており、この雌ねじ部にはねじ支柱３３が螺合されている。前記枠材載置台３２は、上方から見て正方形状をなしており、その四隅部にバーリングタップとされたねじ穴３４を設けられている。この枠材載置台３２は中心部を筒状部１１に貫通されるとともに、該筒状部３２にかしめられて固定されている（このかしめ部は図２４に示されている）。
【００５９】
図２５はトラップ下３ａ、図２６はトラップ上３ｂをそれぞれ単独で示しており、これらのトラップ上３ｂおよびトラップ下３ａにより排水トラップ３が構成されるようになっている。前記トラップ上３ｂおよびトラップ下３ａはともに亜鉛メッキ鋼板、クロムメッキ鋼板、ニッケルメッキ鋼板、ステンレス、アルミ等の金属または熱可塑性樹脂、熱硬化性樹脂、ＦＲＰ、ＣＦＲＰ等から製作されており、それぞれ両端部に一対ずつねじ挿通穴３５，３６を設けられている。
【００６０】
図２８は、板材からなる９つの中板４のうちの１つを単独で示している（９つとも同形同大であって、互いに置き換えられるものである）。この中板４は、亜鉛メッキ鋼板、クロムメッキ鋼板、ニッケルメッキ鋼板、ステンレス、アルミ等の金属または熱可塑性樹脂、熱硬化性樹脂、ＦＲＰ、ＣＦＲＰ等から製作されており、上フランジ部４ａと、この上フランジ部４ａの両端から斜め下方向に屈曲して延びる一対のウェブ部４ｂと、これらの一対のウェブ部４ｂの下端からそれぞれ外側横方向に屈曲して延びる一対の下フランジ部４ｃとを有する。各下フランジ部４ｃの長さ方向両端部付近にはねじ挿通穴３７が設けられている。
【００６１】
次に、本実施例における浴室架台１の組立手順を説明する。
【００６２】
まず、枠体２のうちの外枠２ａの組立を行う（図１参照）。第一の幅方向外枠材５の一端部と第一の奥行き方向外枠材８の一端部との結合は、次のようにして行うことができる。図１５および１６に示されているように、コーナージョイント金具１０の枠材載置台１２の第一の部分１２ａの両側の第一の位置決め突起部１４を、外枠２ａ全体の幅が所望の大きさとなるように、第一の幅方向外枠材５の一端部付近の３つの位置決め穴５ｄのうちの１つを選択して嵌合した状態で、第一の幅方向外枠材５の一端部付近を枠材載置台１２の第一の部分１２ａ上に載置する。そして、第一の幅方向外枠材５の一端部付近の３つの位置決め穴５ｄのうちの、第一の位置決め突起部１４を嵌合されていない１つの位置決め穴５ｄまたはねじ挿通穴５ｅにそれぞれ雄ねじ３８を挿通した上、これらの雄ねじ３８を枠材載置台１２の第一の部分１２ａのねじ穴１６に螺合し、第一の幅方向外枠材５の一端部とコーナージョイント金具１０の枠材載置台１２の第一の部分１２ａとを締結する。
【００６３】
次に、図１５および１６に示されているように、コーナージョイント金具１０の第二の部分１２ｂの第二の位置決め突起部１７を、外枠２ａ全体の奥行きが所望の大きさとなるように、第一の奥行き方向外枠材８の一端部付近の３つの位置決め穴８ｄのうちの１つを選択して嵌合した状態で、第一の奥行き方向外枠材８の一端部付近を枠材載置台１２の第二の部分１２ｂ上に載置する。そして、第一の奥行き方向外枠材８の一端部付近の３つの位置決め穴８ｄのうちの第二の位置決め突起部１７を嵌合されていない１つの位置決め穴８ｄまたはねじ挿通穴８ｅにそれぞれ雄ねじ３８を挿通した上、これらの雄ねじ３８を枠材載置台１２の第二の部分１２ｂのねじ穴１９に螺合し、第一の奥行き方向外枠材８の一端部とコーナージョイント金具１０の枠材載置台１２の第二の部分１２ｂとを締結する。      
【００６４】
以上により第一の幅方向外枠材５の一端部と第一の奥行き方向外枠材８の一端部とがコーナージョイント金具１０を介して結合される。
【００６５】
第一の幅方向外枠材５の他端部と第二の奥行き方向外枠材９の一端部との結合、第二の幅方向外枠材６の一端部と第一の奥行き方向外枠材８の他端部との結合および第二の幅方向外枠材６の他端部と第二の奥行き方向外枠材９の他端部との結合も、残りの３つのコーナージョイント金具１０を使用して全く同様に行うことができる。
【００６６】
これにより、第一の幅方向外枠材５、第二の幅方向外枠材６、第一の奥行き方向外枠材８および第二の奥行き方向外枠材９が４つのコーナージョイント金具１０により互いに両端部を接続されて矩形の外枠２ａが組み立てられる。
【００６７】
次に、第一の奥行き方向外枠材８の長さ方向中間部と中間枠材７の一端部との結合を以下のようにして行う。図１９および２０に示されているように、中間ジョイント金具２０の枠材載置台２２の第一の部分２２ａの内側位置決め突起部２４および外側位置決め突起部２５を第一の奥行き方向外枠材８の長さ方向中間部の位置決め用穴８ｆに嵌合した状態で、枠材載置台２２の第一の部分２２ａ上に載置する。そして、第一の奥行き方向外枠材８の長さ方向中間部に設けられている合計４つのねじ挿通穴８ｇに雄ねじ３８を挿通した上、これらの雄ねじ３８を枠材載置台２２の第一の部分２２ａのねじ穴２６に螺合し、第一の奥行き方向外枠材８の長さ方向中間部と中間ジョイント金具２０の枠材載置台２２の第一の部分２２ａとを締結する。
【００６８】
次に、図１９に示されているように、先に組み立てた外枠２ａの幅方向サイズに合わせて、中間ジョイント金具２０の第二の部分２２ｂの２つの位置決め突起部２７を中間枠材７の一端部付近の各下フランジ部７ｃの３つの位置決め穴７ｄのうちの１つを選択してそれぞれ嵌合する。そして、中間枠材７の一端部付近の各下フランジ部７ｃの３つの位置決め穴７ｄのうちの、位置決め突起部２７を嵌合されていない１つの位置決め穴７ｄまたはねじ挿通穴７ｅにそれぞれ雄ねじ３８を挿通した上、これらの雄ねじ３８を中間ジョイント金具２０の枠材載置台２２の第二の部分２２ｂの２つのねじ穴２８に螺合し、中間ジョイント金具２０の枠材載置台２２の第二の部分２２ｂと中間枠材７の一端部とを締結する。これにより第一の奥行き方向外枠材８の長さ方向中間部と中間枠材７の一端部とが中間ジョイント金具２０を介して結合される。
【００６９】
次に、全く同様にして、もう一つのジョイント金具２０を用いて、第二の奥行き方向外枠材９の長さ方向中間部と中間枠材７の他端部とを結合する。
【００７０】
次に、第一の幅方向外枠材５の長さ方向中間部に以下のようにして脚金具３０をそれぞれ取り付ける。各脚金具３０の枠材載置台３２の４つのねじ穴３４を第一の幅方向外枠材５の長さ方向中間部に設けられた５組のねじ挿通穴５ｆのうちの任意の１組の４つのねじ挿通穴５ｆに合致させて、図２３および２４のようにねじ挿通穴５ｆを通した雄ねじ３８をねじ穴３４に螺合し、第一の幅方向外枠材５の長さ方向中間部に脚金具３０を取り付ける。
【００７１】
次に、全く同様にして、第二の幅方向外枠材６および中間枠材７の長さ方向中間部にも脚金具３０をそれぞれ取り付ける。
【００７２】
これにより、図１のように浴室架台１の枠体２の組み立てが完了する。なお、枠体２を床面に設置したとき、コーナージョイント金具１０、中間ジョイント金具２０および脚金具３０の筒状部１１，２１，３１およびねじ支柱１３，２３，３３は上下方向に延びることになり、ねじ支柱１３，２３，３３を筒状部１１，２１，３１に対して回転することにより、浴室架台１の高さ調整を行うことができる。
【００７３】
次に、以下のようにして枠体２に排水トラップ３を構成するトラップ下３ａおよびトラップ上３ｂを取り付ける。
【００７４】
図２７に示されているように、トラップ上３ｂおよびトラップ下３ａを、それぞれ一端部を第一の幅方向外枠材５の内側の下フランジ部５ｃに、他端部を中間枠材７の一方の下フランジ部７ｃに、それぞれドリルねじ（先端がドリルになっていて、下穴を開けず締結を行うことができるビス）３９により締結し（このとき、ドリルねじ３９をねじ挿通穴３５，３６に挿通させる）、第一の幅方向外枠材５と中間枠材７との間に渡されるとともに互いに対向された状態とする。また、このとき第一の幅方向外枠材５および中間枠材７の下フランジ部５ｃ，７ｃとトラップ上３ｂおよびトラップ下３ａとの間に高発泡ポリエチレン等のシート状の防振材（図示せず）が介在されるようにする。
【００７５】
次に、以下のようにして枠体２に９つの中板４を取り付ける。
【００７６】
前記中板４のうち、第一の幅方向外枠材５と中間枠材７との間に設置するものは、一端部を第一の幅方向外枠材５の内側の下フランジ部５ｃに、他端部を中間枠材７の一方の下フランジ部７ｃに、それぞれドリルねじ３９により締結し（このとき、ドリルねじ３９をねじ挿通穴３７に挿通させる）、第一の幅方向外枠材５と中間枠材７との間に渡された状態とする。また、このとき第一の幅方向外枠材５および中間枠材７の下フランジ部５ｃ，７ｃと中板４との間に高発泡ポリエチレン等のシート状の防振材（図示せず）を介在させる。
【００７７】
また、前記中板４のうち、中間枠材７と第二の幅方向外枠材６との間に設置するものは、一端部を中間枠材７の他方の下フランジ部７ｃに、他端部を第二の幅方向外枠材６の内側の下フランジ部６ｃに、それぞれドリルねじ３９により締結し（やはりこのとき、ドリルねじ３９をねじ挿通穴３７に挿通させる）、中間枠材７と第二の幅方向外枠材６との間に渡された状態とする。また、このとき中間枠材７および第二の幅方向外枠材６の下フランジ部７ｃ，６ｃと中板４との間に高発泡ポリエチレン等のシート状の防振材（図示せず）が介在されるようにする。
【００７８】
以上により、図２のように浴室架台１全体の組み立てが完了する。
【００７９】
この浴室架台１は、上記のような部品構成とすることにより、部品に分割して運搬し、現場で組み立てることができる。
【００８０】
また、部品を軽量・小型とできるとともに、部品を少ない梱包数で梱包でき、運搬時の負担が少なく、現場への運搬、搬入が容易になる。そして、梱包資材も節約できる。また、女性でも取扱可能であるとともに、軽トラックでの運搬も可能で、かつ小さいエレべーターを使用して現場へ搬入することも可能になる。
【００８１】
なお、本実施例では、主要構成部品である第一の幅方向外枠材５、第二の幅方向外枠材６、中間枠材７、第一の奥行き方向外枠材８および第二の奥行き方向外枠材９がハット形材で構成され、これらのハット形材は図３０に示されているように互いに重ね合わせた状態とすることができるので、組立前、構成部品をより一層コンパクトにまとめておくことができる。
【００８２】
また、この浴室架台１では、前述のように各コーナージョイント金具１０の枠材載置台１２の第一および第二の部分１２ａ，１２ｂの第一および第二の位置決め突起部１４，１７を第一の幅方向外枠材５、第二の幅方向外枠材６、第一の奥行き方向外枠材８および第二の奥行き方向外枠材９の両端部付近の位置決め穴５ｄ，６ｄ，８ｄ，９ｄの中の選択したものに嵌合するとともに、中間ジョイント金具２０の枠材載置台２２の第二の部分２２ｂの位置決め突起部２７を中間枠材７の両端部付近の位置決め穴７ｄの中の選択したものに嵌合することにより、外枠２ａの幅方向および奥行き方向のサイズを現場で簡単に調整できる。
【００８３】
また、これに伴い、ある程度の範囲のサイズの相違であれば、共通の部品を使用でき、異なるサイズの架台毎に異なるサイズの部品を用意する必要がないので、全体として部品点数を大幅に削減できる。
【００８４】
また、この浴室架台１では、前述のように各コーナージョイント金具１０の枠材載置台１２の第一および第二の位置決め突起部１４，１７を第一の幅方向外枠材５、第二の幅方向外枠材６、第一の奥行き方向外枠材８および第二の奥行き方向外枠材９の両端部付近の位置決め穴５ｄ，６ｄ，８ｄ，９ｄの中の選択したものに嵌合し、各中間ジョイント金具２０の枠材載置台２２の第一の部分２２ａの内側位置決め突起部２４と位置決め突起部２５を第一の奥行き方向外枠材８および第二の奥行き方向外枠材９の長さ方向中間部の位置決め穴８ｆ，９ｆに嵌合するとともに、中間ジョイント金具２０の枠材載置台２２の第二の部分２２ｂの位置決め突起部２７を中間枠材７の両端部付近の位置決め穴７ｄの中の選択したものに嵌合するだけで、前記サイズ調整を行うと同時に、面倒な調整作業を要することなく、極めて簡単かつ迅速に各枠材５，６，７，８，９間の角度を直角に規定することができる。したがって、架台組立時に、計測作業を最小限に留めることができる。
【００８５】
また、前述のように組み立て作業を行うことができるので、組立作業手順を単純化し、施工に必要な作業時間を短縮することができる。
【００８６】
また、本実施例では、第一の幅方向外枠材５、第二の幅方向外枠材６、中間枠材７、第一の奥行き方向外枠材８および第二の奥行き方向外枠材９の両端部付近において、位置決め穴５ｄ，６ｄ，７ｄ，８ｄ，９ｄを位置決め用にのみ使用するのではなく、位置決め用には使用しない位置決め穴５ｄ，６ｄ，７ｄ，８ｄ，９ｄをねじ挿通穴としても使用できるようにしているので、各枠材５〜９に設ける穴の数を最小限とすることができるとともに、コーナージョイント金具１０の枠材載置台１２および中間ジョイント金具２０の枠材載置台２２が大型化しないようにすることができる。
【００８７】
なお、本実施例においては、コーナージョイント金具１０の枠材載置台１２および中間ジョイント金具２０の枠材載置台２２にねじ穴１６，１９，２６，２８を設けているが、これらのねじ穴の代わりにねじ挿通穴を設け、これらのねじ挿通穴に挿通した雄ねじ３８にナットを螺合して締結を行ったり、締結を行う雄ねじとして枠材載置台１２および２２に対して自らねじ立てを行う雄ねじを用いて、枠材載置台１２および２２と各枠材５，６，７，８，９とを締結するようにしてもよい。
【００８８】
また、本発明においては、中間枠材７および中間ジョイント金具は必ずしも設けなくてもよい。しかし、本実施例のように中間枠材７、中間ジョイント金具２０および中板４を設ければ、浴室架台１の強度を一層向上することができる。
【００８９】
また、本実施例では、中間枠材７を第一の奥行き方向外枠材８と第二の奥行き方向外枠材９との間に渡しているが、中間枠材７を第一の幅方向外枠材５と第二の幅方向外枠材６との間に渡してもよい。この場合、第一の奥行き方向外枠材８および第二の奥行き方向外枠材９の長さ方向中間部ではなく、第一の幅方向外枠材５および第二の幅方向外枠材６の中間部に位置決め穴を設ける。そして、中板４は第一の奥行き方向外枠材８と中間枠材７との間および第二の奥行き方向外枠材９と中間枠材７との間に渡されることになる（第一の幅方向外枠材５および第二の幅方向外枠材６間に複数の中間枠材７を渡し、中間枠材７間にも中板４を渡してもよい）。中板４の数および形状は本実施例のものに限定されることはない。
【００９０】
また、第一の幅方向外枠材５、第二の幅方向外枠材６、中間枠材７、第一の奥行き方向外枠材８および第二の奥行き方向外枠材９の位置決め穴５ｄ，６ｄ，７ｄ，８ｄ，９ｄとコーナージョイント金具１０および中間ジョイント金具２０の位置決め突起部１４，１７，２４，２５，２７を円形状とすると、これらを高精度に加工しなければ、各枠材５，６，７，８，９間の交角部を直角とするとともに、外枠２ａの幅方向および奥行き方向のサイズひいては外枠２ａの対角寸法を正確にすることができず、加工コストが高くなる。しかし、本実施例では、位置決め穴５ｄ，６ｄ，７ｄ，８ｄ，９ｄおよび位置決め突起部１４，１７，２４，２５，２７の水平横断面形状がともに矩形状とされているので、加工精度が悪くても、各枠材５，６，７，８，９間の交角部を実用上十分な精度で直角とすることができる。
【００９１】
さらに本実施例では、前記位置決め穴５ｄ，６ｄ，７ｄ，８ｄ，９ｄが各枠材の長さ方向を長辺方向とする長方形状とされている一方、位置決め突起部１４，１７，２４，２５，２７は横断面正方形状とされているので、各枠材５，６，７，８，９間の角度は実用上十分な精度で直角にすることができるとともに、全体としてはさらに加工精度が低くてもよくなるので、より安価な加工方法で位置決め穴５ｄ，６ｄ，７ｄ，８ｄ，９ｄを加工でき、かつ各位置決め突起部１４，１７，２４，２５，２７に対し各位置決め穴５ｄ，６ｄ，７ｄ，８ｄ，９ｄを長さ方向に沿って若干移動可能となり、外枠２ａの幅方向および奥行き方向のサイズの微調整も可能となる。
【００９２】
なお、位置決め突起部１４，１７，２４，２５，２７の横断面形状は、正方形ではなく、位置決め穴５ｄ，６ｄ，７ｄ，８ｄ，９ｄより長辺が短い長方形状としてもよい。
【００９３】
また、本実施例では、第一の幅方向外枠材５、第二の幅方向外枠材６および中間枠材７の長さ方向中間部に脚金具３０を締結するための複数組のねじ挿通穴５ｆ，６ｆ，７ｆがそれぞれ設けられているので、これらの複数組のねじ挿通穴５ｆ，６ｆ，７ｆのうちから各１組を選択して脚金具３０を締結することにより、排水溝等の障害物と干渉しないように、脚金具３０（脚部）の設置位置を適宜変更可能とすることができる。
【００９４】
また、浴槽架台上に載置される洗い場パンの床面が水平面であると排水が良好に行われない虞があるが、洗い場パンの床面に例えば２％程度の僅かな勾配を設けると、排水が良好に行われるようになる。このように洗い場パンの床面に僅かに勾配を付けたい場合は、コーナージョイント金具および中間ジョイント金具の枠材載置台の上面に勾配を設けるか、または位置決め突起部を有する部分を、上面が水平面とされている枠材載置台本体とは別部材とし、かつこの別部材の上面に勾配を設け、この別部材を枠材載置台本体上に載置するようにしてもよい（枠材載置台本体と枠材との間に勾配が付いた前記別部材が介装されることになる）。これにより、浴室架台の上面を一方の幅方向外枠材側から他方の幅方向外枠材側へ（または一方の奥行き方向外枠材側から他方の奥行き幅方向外枠材側へ）僅かに傾斜させ、ひいてはその上に載置される洗い場パンの床面に僅かな勾配を設けることができる。
【００９５】
また、本実施例のように、脚金具を設ける場合も、上述のように浴室架台の上面を傾斜させたい場合は、脚金具の枠材載置台の上面に勾配を設けるか、または該脚金具の枠材載置台位置の上面を構成する部分を、上面が水平面とされている枠材載置台本体とは別部材とし、かつこの別部材の上面に勾配を設け、この別部材を枠材載置台本体上に載置するようにすることができる。
【００９６】
また、本実施例では、それぞれ１本の第一の外枠材５、第二の外枠材６および中間枠材７に対し脚金具３０が１つずつ取り付けられるようになっているが、必要な場合には、１本の第一の外枠材、第二の外枠材および中間枠材に対しそれぞれ脚金具を２以上取り付けるようにしてもよい。
【００９７】
また、本実施例では、コーナージョイント金具１０、中間ジョイント金具２０、脚金具３０の枠材載置台１２，２２，３２は金属からなっているが、これらは熱可塑性樹脂、熱硬化性樹脂、ＦＲＰ、ＣＦＲＰ等の非金属材料から製作してもよい。
【００９８】
また、コーナージョイント金具１０、中間ジョイント金具２０、脚金具３０の枠材載置台１２，２２，３２は、筒状部１１，２１，３１に対してかしめ固定ではなく、溶接固定、ビス固定、リベット固定等の他の方法で固定してもよい。
【００９９】
また、本実施例の浴室架台１は洗い場パンを載置するためのものであったが、本発明の浴室架台は浴槽を支持する架台や洗い場パンおよび浴槽の両方を支持する架台にも適用可能である。
【産業上の利用可能性】
【０１００】
以上のように本発明による浴室架台は、ユニットバス（システムバス）において、洗い場パンや浴槽を載置される浴室架台として有用である。
【符号の説明】
【０１０１】
１    浴室架台
２    枠体
２ａ  外枠
３    排水トラップ
３ａ  トラップ下
３ｂ  トラップ上
４    中板
５    第一の幅方向外枠材
５ａ  第一の幅方向外枠材の上フランジ部
５ｂ  第一の幅方向外枠材のウェブ部
５ｃ  第一の幅方向外枠材の下フランジ部
５ｄ  第一の幅方向外枠材の位置決め穴
５ｅ  第一の幅方向外枠材の端部付近ねじ挿通穴
５ｆ  第一の幅方向外枠材の長さ方向中間部ねじ挿通穴
６    第二の幅方向外枠材
６ａ  第二の幅方向外枠材の上フランジ部
６ｂ  第二の幅方向外枠材のウェブ部
６ｃ  第二の幅方向外枠材の下フランジ部
６ｄ  第二の幅方向外枠材の位置決め穴
６ｅ  第二の幅方向外枠材の端部付近ねじ挿通穴
６ｆ  第二の幅方向外枠材の長さ方向中間部ねじ挿通穴
７    中間枠材
７ａ  中間枠材の上フランジ部
７ｂ  中間枠材のウェブ部
７ｃ  中間枠材の下フランジ部
７ｄ  中間枠材の位置決め穴
７ｅ  中間枠材の端部付近ねじ挿通穴
８    第一の奥行き方向外枠材
８ａ  第一の奥行き方向外枠材の上フランジ部
８ｂ  第一の奥行き方向外枠材のウェブ部
８ｃ  第一の奥行き方向外枠材の下フランジ部
８ｄ  第一の奥行き方向外枠材の端部付近位置決め穴
８ｅ  第一の奥行き方向外枠材の端部付近ねじ挿通穴
８ｆ  第一の奥行き方向外枠材の長さ方向中間部位置決め穴
８ｇ  第一の奥行き方向外枠材の長さ方向中間部ねじ挿通穴
９    第二の奥行き方向外枠材
９ａ  第二の奥行き方向外枠材の上フランジ部
９ｂ  第二の奥行き方向外枠材のウェブ部
９ｃ  第二の奥行き方向外枠材の下フランジ部
９ｄ  第二の奥行き方向外枠材の端部付近位置決め穴
９ｅ  第二の奥行き方向外枠材の端部付近ねじ挿通穴
９ｆ  第二の奥行き方向外枠材の長さ方向中間部位置決め穴
９ｇ  第二の奥行き方向外枠材の長さ方向中間部ねじ挿通穴
１０    コーナージョイント金具
１１    コーナージョイント金具の筒状部
１２    コーナージョイント金具の枠材載置台
１２ａ  コーナージョイント金具の枠材載置台の第一の部分
１２ｂ  コーナージョイント金具の枠材載置台の第二の部分
１３    コーナージョイント金具のねじ支柱
１４    コーナージョイント金具の第一の位置決め突起部
１６    コーナージョイント金具のねじ穴
１７    コーナージョイント金具の第二の位置決め突起部
１９    コーナージョイント金具のねじ穴
２０    中間ジョイント金具
２１    中間ジョイント金具の筒状部
２２    中間ジョイント金具の枠材載置台
２２ａ  中間ジョイント金具の枠材載置台の第一の部分
２２ｂ  中間ジョイント金具の枠材載置台の第二の部分
２３    中間ジョイント金具のねじ支柱
２４    中間ジョイント金具の枠材載置台の第一の部分の内側位置決め突起部
２５    中間ジョイント金具の枠材載置台の第一の部分の外側位置決め突起部
２６    中間ジョイント金具の枠材載置台の第一の部分のねじ穴
２７    中間ジョイント金具の枠材載置台の第二の部分の位置決め突起部
２８    中間ジョイント金具の枠材載置台の第二の部分のねじ穴
３０    脚金具
３１    脚金具の筒状部
３２    脚金具の枠材載置台
３３    脚金具のねじ支柱
３４    脚金具の枠材載置台のねじ穴
３８    雄ねじ
３９    ドリルねじ
【図１】
0006650794.tif 000002
【図２】
0006650794.tif 000003
【図３】
0006650794.tif 000004
【図４】
0006650794.tif 000005
【図５】
0006650794.tif 000006
【図６】
0006650794.tif 000007
【図７】
0006650794.tif 000008
【図８】
0006650794.tif 000009
【図９】
0006650794.tif 000010
【図１０】
0006650794.tif 000011
【図１１】
0006650794.tif 000012
【図１２】
0006650794.tif 000013
【図１３】
0006650794.tif 000014
【図１４】
0006650794.tif 000015
【図１５】
0006650794.tif 000016
【図１６】
0006650794.tif 000017
【図１７】
0006650794.tif 000018
【図１８】
0006650794.tif 000019
【図１９】
0006650794.tif 000020
【図２０】
0006650794.tif 000021
【図２１】
0006650794.tif 000022
【図２２】
0006650794.tif 000023
【図２３】
0006650794.tif 000024
【図２４】
0006650794.tif 000025
【図２５】
0006650794.tif 000026
【図２６】
0006650794.tif 000027
【図２７】
0006650794.tif 000028
【図２８】
0006650794.tif 000029
【図２９】
0006650794.tif 000030
【図３０】
0006650794.tif 000031